(57)【要約】      （修正有）【課題】複数のＷＴＲＵからのフィードバックにおけアップリンクおよびダウンリンク容量に対する影響を最小にする。【解決手段】ＷＴＲＵはＮｏｄｅ−Ｂからの信号の復号に成功しなかった場合、コンテンションベースの共用フィードバックチャネルを介して、否定応答（ＮＡＣＫ）を表す事前定義されたバーストをＮｏｄｅ−Ｂに送信する。事前定義されたバーストは、肯定応答を必要とすることなく、１回だけ送信することができる。Ｎｏｄｅ−Ｂは、低い信号品質を有するＷＴＲＵが全体よりも少ないデータストリームを復号するように、異なる変調および符号化方式を使用して処理される複数のデータストリームを含むダウンリンク伝送を送信することができる。Ｎｏｄｅ−Ｂは、各ＷＴＲＵがＣＱＩしきい値および測定されたＣＱＩに基づいてフィードバックをレポートすべきデータストリームを決定するように、チャネル品質インジケータ（ＣＱＩ）しきい値を送信する。【選択図】図１
2012165440.tif 000002
【特許請求の範囲】
【請求項１】
ＬＴＥ（Ｌｏｎｇ  Ｔｅｒｍ  Ｅｖｏｌｕｔｉｏｎ）  ＷＴＲＵ（無線送信／受信ユニット）であって、
物理アップリンクチャネルを伝送するように構成された回路を備え、
前記物理アップリンクチャネルは、専用データを無線ネットワークに伝送するために前記ＷＴＲＵにリソースが割り当てられていない伝送時間間隔（ＴＴＩ）の間、フィードバック情報を送信するために使用され、
前記回路は、前記物理アップリンクチャネルに関連付けられた第１の周波数リソースで肯定応答フィードバック情報を伝送し、前記物理アップリンクチャネルに関連付けられた第２の周波数リソースでＣＱＩ（チャネル品質インジケータ）フィードバックを伝送するようにさらに構成され、
前記第１および第２の周波数リソースは異なること
を特徴とするＬＴＥ  ＷＴＲＵ。
【請求項２】
前記第１の周波数リソースおよび第２の周波数リソースは、異なる副搬送波であることを特徴とする請求項１に記載のＬＴＥ  ＷＴＲＵ。
【請求項３】
前記肯定応答フィードバック情報はＮＡＣＫであることを特徴とする請求項１に記載のＬＴＥ  ＷＴＲＵ。
【請求項４】
前記回路は、フィードバック情報を前記物理アップリンクチャネルでｏｎ−ｏｆｆキーイングを使用して伝送するようにさらに構成されていることを特徴とする請求項１に記載のＬＴＥ  ＷＴＲＵ。
【請求項５】
前記回路は、閾値を利用してストリームの数を判定し、チャネル品質インジケータ情報を報告するようにさらに構成されていることを特徴とする請求項１に記載のＬＴＥ  ＷＴＲＵ。
【請求項６】
前記回路は、電力コマンドをダウンリンク制御チャネルで受信し、前記物理アップリンクチャネルの伝送電力レベルを前記受信した電力コマンドに応答して設定するようにさらに構成されていることを特徴とする請求項１に記載のＬＴＥ  ＷＴＲＵ。
【請求項７】
前記回路は、電力増加機構を利用せず、前記物理アップリンクチャネルを使用して伝送を行うようにさらに構成されていることを特徴とする請求項１に記載のＬＴＥ  ＷＴＲＵ。
【請求項８】
前記回路は、ＳＩＢ（システム情報ブロック）でオフセット値を前記無線ネットワークから受信し、かつ、前記物理アップリンクチャネルを使用して前記オフセット値に基づいた伝送電力レベルで伝送を行うようにさらに構成されていることを特徴とする請求項７に記載のＬＴＥ  ＷＴＲＵ。
【請求項９】
前記回路は、肯定応答を、前記物理アップリンクチャネルを使用して伝送されたフィードバック情報に応答して受信しないようにさらに構成されていることを特徴とする請求項１に記載のＬＴＥ  ＷＴＲＵ。
【請求項１０】
ＬＴＥ（Ｌｏｎｇ  Ｔｅｒｍ  Ｅｖｏｌｕｔｉｏｎ）  ＷＴＲＵ（無線送信／受信ユニット）によってフィードバック情報を物理アップリンクチャネルで伝送するステップを備え、
前記物理アップリンクチャネルは、専用データを無線ネットワークに伝送するために前記ＷＴＲＵにリソースが割り当てられていない伝送時間間隔（ＴＴＩ）の間、フィードバック情報を送信するために使用され、
肯定応答フィードバック情報が前記物理アップリンクチャネルに関連付けられた第１の周波数リソースで伝送され、チャネル品質インジケータフィードバックが前記物理アップリンクチャネルに関連付けられた第２の周波数リソースで伝送され、
前記第１および第２の周波数リソースは異なること
を特徴とする方法。
【請求項１１】
前記第１の周波数リソースおよび第２の周波数リソースは、異なる副搬送波であることを特徴とする請求項１０に記載の方法。
【請求項１２】
前記肯定応答フィードバック情報はＮＡＣＫであることを特徴とする請求項１０に記載の方法。
【請求項１３】
フィードバック情報を前記物理アップリンクチャネルで伝送するステップは、少なくともｏｎ−ｏｆｆキーイングを使用することを特徴とする請求項１０に記載の方法。
【請求項１４】
閾値を利用して、ストリームの数を判定し、チャネル品質インジケータ情報を報告するステップをさらに備えることを特徴とする請求項１０に記載の方法。
【請求項１５】
前記ＷＴＲＵによって電力コマンドをダウンリンク制御チャネルで受信するステップと、前記ＷＴＲＵによって前記物理アップリンクチャネルの伝送電力レベルを前記受信した電力コマンドに応答して設定するステップとをさらに備えることを特徴とする請求項１０に記載の方法。
【請求項１６】
前記ＷＴＲＵは、電力増加機構を利用せず、前記物理アップリンクチャネルを使用して伝送を行うことを特徴とする請求項１０に記載の方法。
【請求項１７】
前記ＷＴＲＵによってオフセット値を前記無線ネットワークから受信するステップと、前記ＷＴＲＵによって前記物理アップリンクチャネルを使用して前記オフセット値に基づいた伝送電力レベルで伝送を行うステップとをさらに備えることを特徴とする請求項１６に記載の方法。
【請求項１８】
前記ＷＴＲＵは、肯定応答を、前記物理アップリンクチャネルを使用して伝送された前記フィードバック情報に応答して受信しないことを特徴とする請求項１０に記載の方法。
【請求項１９】
ＬＴＥ（Ｌｏｎｇ  Ｔｅｒｍ  Ｅｖｏｌｕｔｉｏｎ）無線ネットワークノードであって、
物理アップリンクチャネルに関連付けられた情報を含むＳＩＢ（システム情報ブロック）を伝送するように構成された回路を備え、
前記物理アップリンクチャネルは、専用データを前記無線ネットワークノードに伝送するためにＷＴＲＵ（無線送信／受信ユニット）にリソースが割り当てられていない伝送時間間隔（ＴＴＩ）の間、フィードバック情報を送信するために前記ＷＴＲＵによって使用され、
前記回路は、前記物理アップリンクチャネルに関連付けられた第１の周波数リソースで前記ＷＴＲＵから肯定応答フィードバック情報を受信し、前記物理アップリンクチャネルに関連付けられた第２の周波数リソースで前記ＷＴＲＵからチャネル品質インジケータフィードバックを受信するようにさらに構成され、
前記第１および第２の周波数リソースは異なること
を特徴とするＬＴＥ無線ネットワークノード。
【請求項２０】
前記第１の周波数リソースおよび第２の周波数リソースは、異なる副搬送波であることを特徴とする請求項１９に記載のＬＴＥ無線ネットワークノード。
【発明の詳細な説明】
【技術分野】
【０００１】
本発明は、無線通信に関する。
【背景技術】
【０００２】
高速物理ダウンリンク共用チャネル（ＨＳ−ＰＤＳＣＨ；ｈｉｇｈ  ｓｐｅｅｄ  ｐｈｙｓｉｃａｌ  ｄｏｗｎｌｉｎｋ  ｓｈａｒｅｄ  ｃｈａｎｎｅｌ）を介するダウンリンク共用サービス（つまり、ブロードキャストまたはマルチキャスト伝送）の導入は、拡張マルチメディアブロードキャストマルチキャストサービス（ＭＢＭＳ；ｅｎｈａｎｃｅｄ  ｍｕｌｔｉｍｅｄｉａ  ｂｒｏａｄｃａｓｔ  ｍｕｌｔｉｃａｓｔ  ｓｅｒｖｉｃｅｓ）および無線リソース制御（ＲＲＣ）ＣＥＬＬ＿ＦＡＣＨ状態における無線送信／受信ユニット（ＷＴＲＵ）への伝送を含むいくつかの状況において論じられている。ダウンリンク共用サービスの場合、同じデータストリームが、１つのセル内にあることが知られまたは見なされる複数のＷＴＲＵを対象としており、ネットワークはデータを他のＷＴＲＵに対して可視にすることができる。一部または大部分のＷＴＲＵへのデータ配信の保証は重要であり、そのような保証を提供するための機構はサポートされる必要がある。
【０００３】
ダウンリンク共用サービスの配信のためにＨＳ−ＰＤＳＣＨまたは同様のチャネルを使用することは、いくつかの利点をもたらす。ＨＳ−ＰＤＳＣＨは、広範囲のサービス品質（ＱｏＳ）クラスにわたるサービスの配信に十分適した共用物理チャネルである。ＨＳ−ＰＤＳＣＨはまた、大抵の共用サービスがそうである可能性が高いように、パケットサービスに合わせて最適化される（たとえば、転送アクセスチャネル（ＦＡＣＨ；ｆｏｒｗａｒｄ  ａｃｃｅｓｓ  ｃｈａｎｎｅｌ）データおよびＭＢＭＳデータはほとんどがパケット化される）。ＨＳ−ＰＤＳＣＨはまた、ハイブリッド自動反復要求（ＨＡＲＱ；ｈｙｂｒｉｄ  ａｕｔｏｍａｔｉｃ  ｒｅｐｅａｔ  ｒｅｑｕｅｓｔ）をサポートしており、これは、適切なフィードバック機構と組み合わせた場合、パケット配信を保証する、または大幅に改善するために使用することができる。
【０００４】
ＨＳ−ＰＤＳＣＨのＨＡＲＱ機構を利用するために、ＷＴＲＵが肯定応答（ＡＣＫ）または否定応答（ＮＡＣＫ）フィードバックをＮｏｄｅ−Ｂに送信できるようにするフィードバック機構が必要とされる。高速ダウンリンクパケットアクセス（ＨＳＤＰＡ；ｈｉｇｈ  ｓｐｅｅｄ  ｄｏｗｎｌｉｎｋ  ｐａｃｋｅｔ  ａｃｃｅｓｓ）において、ＡＣＫまたはＮＡＣＫメッセージは、専用アップリンクチャネル（つまり、高速専用物理制御チャネル（ＨＳ−ＤＰＣＣＨ；ｈｉｇｈ  ｓｐｅｅｄ  ｄｅｄｉｃａｔｅｄ  ｐｈｙｓｉｃａｌ  ｃｏｎｔｒｏｌ  ｃｈａｎｎｅｌ））を介してＮｏｄｅ−Ｂに配信される。これは、ＡＣＫまたはＮＡＣＫメッセージを配信するためのチャネルリソースの可用性を保証するだけでなく、特定のＡＣＫまたはＮＡＣＫメッセージがどのＷＴＲＵから送出されるかをＮｏｄｅ−Ｂが識別できるようにする。
【０００５】
加えて、ＨＳＤＰＡの性能は、ＷＴＲＵからのチャネル品質インジケータ（ＣＱＩ）フィードバックの利用（ａｖａｉｌａｂｉｌｉｔｙ）を通じて大幅に高められる。従来、ＣＱＩは、ＨＳ−ＰＤＣＣＨを介しても送信され、Ｎｏｄｅ−ＢはＣＱＩのソースを識別することができる。
【０００６】
上記の手法は、ＣＥＬＬ＿ＤＣＨ状態で専用データを搬送するためにＨＳ−ＰＤＳＣＨが主として使用される場合には実際的であるが、ＷＴＲＵがＣＥＬＬ＿ＦＡＣＨ状態で動作している場合には、共用データまたは専用データの配信にはもはや実際的ではなくなる。ＡＣＫ／ＮＡＣＫおよびＣＱＩフィードバックの配信のために現在使用可能な他の機構は、ＣＥＬＬ＿ＤＣＨ状態外の状態の動作には（つまり、専用リソースが使用できない場合）不十分である。セル内には特定の共用サービスをリッスンしている膨大な数のＷＴＲＵがある場合もある。リソースをこれらのＷＴＲＵに専用にし、それらのＷＴＲＵに個々のパケットごとのＡＣＫ／ＮＡＣＫフィードバック要求することは、通信システムのアップリンク容量に対するきわめて有害な影響をもたらすことになる。さらに、セル内で登録されていないＷＴＲＵは、リソースにアクセスすることができない。
【０００７】
専用リソースはＣＥＬＬ＿ＦＡＣＨ状態で割り振られないので、ＡＣＫまたはＮＡＣＫメッセージおよびＣＱＩを配信するために現在使用可能な唯一の代替手段は、ランダムアクセスチャネル（ＲＡＣＨ；ｒａｎｄｏｍ  ａｃｃｅｓｓ  ｃｈａｎｎｅｌ）を介することである。ＲＡＣＨを介してＡＣＫまたはＮＡＣＫメッセージおよびＣＱＩを配信することは、アップリンク容量に対する深刻な影響をもたらす可能性もあり、実際的ではない。ＡＣＫまたはＮＡＣＫメッセージおよびＣＱＩがすべてのＷＴＲＵから配信される場合、ダウンリンクデータが膨大な数のＷＴＲＵ間で共用されるのであれば、従来のＲＡＣＨの動作には、ほぼすべてのデータの膨大な数の再伝送が必要となることもある。したがって、ＲＡＣＨを介してフィードバックを配信することは実際的ではない。
【発明の概要】
【発明が解決しようとする課題】
【０００８】
ダウンリンク共用サービスに対してＷＴＲＵからのフィードバックのメカニズムを提供し、一方、アップリンクおよびダウンリンク容量に対する影響を最小に抑えることが望ましいと考えられる。
【課題を解決するための手段】
【０００９】
複数のＷＴＲＵに伝送されるダウンリンク共用サービスのフィードバックを送信する方法および装置が開示される。ＷＴＲＵは、Ｎｏｄｅ−Ｂからダウンリンク伝送を受信し、ダウンリンク伝送を復号する。復号に成功しなかった場合、ＷＴＲＵは、コンテンションベースの共用フィードバックチャネルを介して、ＮＡＣＫを表す事前定義されたバーストをＮｏｄｅ−Ｂに送信する。事前定義されたバーストは、Ｎｏｄｅ−Ｂからの肯定応答を必要とすることなく、１回だけ送信することができる。Ｎｏｄｅ−Ｂは、ダウンリンク伝送が高い受信成功の確度でＷＴＲＵに伝送されるように、ダウンリンク共用チャネルのダウンリンク伝送電力を較正する。Ｎｏｄｅ−Ｂは、Ｎｏｄｅ−ＢがＮＡＣＫを受信するとあらかじめ定められた関数に基づいてダウンリンク伝送の伝送電力を増大させ、Ｎｏｄｅ−ＢがＮＡＣＫを受信しない場合には伝送電力を減少させる。
【００１０】
Ｎｏｄｅ−Ｂは、高い信号品質を有するＷＴＲＵがすべてのデータストリームを復号するが、低い信号品質を有するＷＴＲＵが全体よりも少ないデータストリームを復号するように、異なる変調および符号化方式（ＭＣＳ）を使用して処理される少なくとも２つのデータストリームを含むダウンリンク伝送を送信することができる。Ｎｏｄｅ−Ｂはまた、各ＷＴＲＵが受信されたダウンリンク伝送でＣＱＩを測定して、ＣＱＩしきい値および測定されたＣＱＩに基づいて、どのデータストリームで各ＷＴＲＵがフィードバックを提供すべきか判定するように、少なくとも１つのチャネル品質インジケータ（ＣＱＩ）しきい値を送信することができる。
【００１１】
本発明のさらに詳細な理解は、例示により示され、添付の図面と併せて理解される、以下の説明から得ることができる。
【図面の簡単な説明】
【００１２】
【図１】１つの実施形態による例示的なＷＴＲＵを示すブロック図である。
【図２】１つの実施形態による例示的なＮｏｄｅ−Ｂを示すブロック図である。
【図３】１つの実施形態によるダウンリンク共用チャネルを介してダウンリンク共用サービスのフィードバックを提供するプロセスを示す流れ図である。
【図４】ＨＳ−ＰＤＳＣＨの１つの可能な電力変動方式を示す図である。
【図５】もう１つの実施形態によるＨＳＤＰＡを介して複数のＷＴＲＵに伝送されるダウンリンク共用サービスのフィードバックを提供するプロセスを示す流れ図である。
【発明を実施するための形態】
【００１３】
以下「ＷＴＲＵ」という用語が参照される場合、これはユーザ機器（ＵＥ）、移動局、固定または移動加入者ユニット、ページャー、携帯電話、個人情報端末（ＰＤＡ）、コンピュータ、または無線環境において動作することのできる他の任意の種類のユーザデバイスを含むが、これらに限定されることはない。以下「Ｎｏｄｅ−Ｂ」という用語が参照される場合、これは基地局、サイトコントローラ、アクセスポイント（ＡＰ）、または無線環境において動作することのできる他の任意の種類のインターフェイス接続デバイスを含むが、これらに限定されることはない。
【００１４】
図１は、１つの実施形態による例示的なＷＴＲＵ１００を示すブロック図である。ＷＴＲＵ１００は、送信機１０２、受信機１０４、復号器１０６、およびＣＱＩ測定ユニット１０８（オプション）を含む。受信機１０４は、Ｎｏｄｅ−Ｂから信号を受信する。復号器１０６は、Ｎｏｄｅ−Ｂから受信された信号を復号する。復号器１０６は、ＷＴＲＵ１００がＣｅｌｌ＿ＦＡＣＨ状態にある間、高速共用制御チャネル（ＨＳ−ＳＣＣＨ；ｈｉｇｈ  ｓｐｅｅｄ  ｓｈａｒｅｄ  ｃｏｎｔｒｏｌ  ｃｈａｎｎｅｌ）信号を復号することができる。復号器１０６は、ＷＴＲＵ１００がＨＳ−ＳＣＣＨ上の信号でＷＴＲＵ１００のアイデンティティ（ＩＤ）を正常に復号した場合、高速物理ダウンリンク共用チャネル（ＨＳ−ＰＤＳＣＨ；ｈｉｇｈ  ｓｐｅｅｄ  ｐｈｙｓｉｃａｌ  ｄｏｗｎｌｉｎｋ  ｓｈａｒｅｄ  ｃｈａｎｎｅｌ）でダウンリンク伝送を復号することができる。送信機１０２は、フィードバック（つまり、ＣＱＩまたはダウンリンク伝送の復号に基づく肯定応答）を、コンテンションベースの共用フィードバックチャネルを介してＮｏｄｅ−Ｂに送信するが、これについては以下で詳細に説明する。ＣＱＩ測定ユニット１０８は、ＣＱＩを出力するが、このことについては以下で詳細に説明する。
【００１５】
図２は、本発明による例示的なＮｏｄｅ−Ｂ２００を示すブロック図である。Ｎｏｄｅ−Ｂ２００は、符号器２０２、送信機２０４、受信機２０６、および伝送電力およびＭＣＳ制御ユニット２０８を含む。符号器２０２は、伝送のためにデータストリームを符号化する。送信機２０４は、ダウンリンク共用チャネルを介して、ダウンリンク共用サービスの符号化データストリームを含むダウンリンク伝送を複数のＷＴＲＵに送信する。伝送電力およびＭＣＳ制御ユニット２０８は、ダウンリンク伝送が高い受信成功の確度でＷＴＲＵに伝送されるように、ダウンリンク共用チャネルでダウンリンク伝送電力および／またはＭＣＳを制御する。受信機２０６は、コンテンションベースの共用フィードバックチャネルを介してＷＴＲＵからフィードバックを受信する。
【００１６】
図３は、１つの実施形態によるダウンリンク共用チャネルを介してダウンリンク共用サービスのフィードバックを提供するプロセス３００を示す流れ図である。ＷＴＲＵ１００は、Ｎｏｄｅ−Ｂ２００から複数のＷＴＲＵに提供されるダウンリンク共用サービス用のダウンリンク共用チャネルを介してダウンリンク伝送を受信する（ステップ３０２）。ＷＴＲＵ１００は、ダウンリンク伝送を復号する（ステップ３０４）。復号に成功しなかった場合、ＷＴＲＵ１００は、コンテンションベースの共用フィードバックチャネルを介して、否定応答（ＮＡＣＫ）を表す事前定義されたバーストをＮｏｄｅ−Ｂ２００に送信する（ステップ３０６）。事前定義されたバーストは、Ｎｏｄｅ−Ｂ２００からの肯定応答を必要とすることなく、１回だけ送信することができる。復号に成功した場合、ＷＴＲＵ１００は、フィードバックを送信しない（つまり、ＡＣＫは暗黙的である）。
【００１７】
新しいアップリンク共用フィードバックチャネルである物理ランダムアクセスフィードバックチャネル（Ｐ−ＲＡＦＣＨ；ｐｈｙｓｉｃａｌ  ｒａｎｄｏｍ  ａｃｃｅｓｓ  ｆｅｅｄｂａｃｋ  ｃｈａｎｎｅｌ）は、フィードバックをＷＴＲＵ１００からＮｏｄｅ−Ｂ２００に送信するために導入される。Ｐ−ＲＡＦＣＨは、コンテンションベースのランダムアクセスチャネルである。少なくとも１つのＰ−ＲＡＦＣＨは、ダウンリンク内の各ＨＳ−ＳＣＣＨに関連付けることができる。いくつかのダウンリンク共用サービスがＨＳ−ＰＤＳＣＨにわたりサポートされる場合、Ｐ−ＲＡＦＣＨのセットはダウンリンク共用サービスに提供され、各Ｐ−ＲＡＦＣＨは特定のダウンリンク共用サービス専用にすることができる。
【００１８】
共用フィードバックチャネルの構成（つまり、Ｐ−ＲＡＦＣＨ）は、システム情報ブロック（ＳＩＢ）を介して通信することができ、セルごとに異なることがある。代替として、共用フィードバックチャネルの構成は、無線アクセスネットワーク（ＲＡＮ）への接続を有するＷＴＲＵ（たとえば、ＣＥＬＬ＿ＦＡＣＨ状態で動作しているＷＴＲＵ）への専用ＲＲＣ信号伝達を通じて通知することができる。Ｎｏｄｅ−Ｂ２００は、共用フィードバックチャネルの使用可能なスクランブルコードおよびアクセススロットをブロードキャストする。アクセススロットの継続期間は、標準的なＲＡＣＨの場合と同様であり、ダウンリンク共用サービスの伝送時間間隔（ＴＴＩ）に適合され（つまり、導かれ）てもよい。ＷＴＲＵ１００がフィードバックを提供する必要がある場合、ＷＴＲＵ１００は、特定のダウンリンク共用サービスで特定のＴＴＩに関連付けられているコードとアクセススロットを無作為に選択し、そのフィードバックを送信する。
【００１９】
フィードバック（つまり、事前定義されたバースト）の伝送において、標準的なＲＡＣＨとは対照的に、伝送電力増加機構は使用されない。ＷＴＲＵ１００は、各フィードバックを１回だけ送信することができ、Ｎｏｄｅ−Ｂからのその受信の肯定応答を必要とすることはない。フィードバックの伝送電力は、基準チャネル（ｒｅｆｅｒｅｎｃｅ  ｃｈａｎｎｅｌ）（たとえば、共通パイロットチャネル（ＣＰＩＣＨ）、ＨＳ−ＰＤＳＣＨなど）で測定された受信電力およびネットワークで供給されたオフセットに基づいて決定することができる。オフセット値は、ＳＩＢに含まれてもよい。代替として、ネットワークは、絶対電力を使用するようＷＴＲＵ１００に指示することができ、ＷＴＲＵ１００がフィードバックの提供を許可される場合にルールを供給する。たとえば、ＷＴＲＵ１００は、受信した基準チャネル電力が事前定義されている値を超える場合に限り、フィードバックの送信を許可されてもよい。
【００２０】
ＷＴＲＵ１００が、同じダウンリンク伝送を伝送する複数の同期化されたＮｏｄｅ−Ｂから１つのＮｏｄｅ−Ｂを選択した場合、ＷＴＲＵ１００はその選択されているＮｏｄｅ−ＢのみにＮＡＣＫを伝送する。ＷＴＲＵ１００が、アクティブセットの複数のＮｏｄｅ−Ｂからの信号のソフト結合（ｓｏｆｔ  ｃｏｍｂｉｎｉｎｇ）を実行する場合、ＷＴＲＵ１００はアクティブセット内の最も強いＮｏｄｅ−ＢにＮＡＣＫを送信する。
【００２１】
ＷＴＲＵ１００は、ダウンリンク伝送の復号にＷＴＲＵ１００が失敗するごとに、ＮＡＣＫを送信することができる。代替として、ＷＴＲＵ１００は、２回以上の連続するダウンリンク伝送に失敗した後、ＮＡＣＫを送信することができる。たとえば、ＷＴＲＵ１００は、ｎ回のうちｍ回の連続する伝送に失敗した場合に限り、ＮＡＣＫを送信することができる。ｍおよびｎの数値は、ネットワークにより決められてもよい。ｎ回のうちのｍ回をカウントする目的で、最初の伝送、再伝送、両方の伝送、または両方の相対的な組合せがカウントされてもよい。実際にＮＡＣＫを送信できる機能は、ネットワークにより設定される確率を備える一部の乱数に依存することができる。ネットワークは、ダウンリンク共用サービス（たとえば、ＭＢＭＳ）が受信されるセルとは異なるセルでＮＡＣＫの望ましい伝送を指示することができる。セルは、ネットワークにより指示される。
【００２２】
１つの実施形態において、フィードバックは匿名であってもよい。フィードバックが経由する場合、Ｎｏｄｅ−Ｂ２００は、セル内の一部のＷＴＲＵが特定のＴＴＩ内にダウンリンク伝送を復号できなかったことを認識する。代替として、ＷＴＲＵ  ＩＤが信号伝達されてもよい。１つの実施形態によれば、ダウンリンク共用サービスは、Ｐ−ＲＡＦＣＨのペイロードとして伝送されるＷＴＲＵ固有のシグニチャコードにマップすることができる。もう１つの実施形態によれば、ＷＴＲＵ接続ＩＤは、フィードバックと共に信号伝達することができる。さらにもう１つの実施形態によれば、コンテンションベースの共用フィードバックチャネルへのアクセス機会は、ＷＴＲＵ  ＩＤが事前定義されたマッピングに基づいて検査されるように、ダウンリンク共用サービスにマップすることができる。マッピングは、ネットワークによって伝送することができる。
【００２３】
Ｎｏｄｅ−Ｂ２００は、望ましい通信可能範囲（つまり、セルまたはセルのセクタ）が高い確度でカバーされるように、伝送電力を較正し、かつ／または共用ダウンリンクサービスを搬送するダウンリンク共用チャネルのＭＣＳを調整する。伝送電力および／またはＭＣＳの調整により、ＷＴＲＵ１００がＴＴＩ内にダウンリンクデータを受信しない確率は、好ましくはほぼゼロの、望ましい動作基点に設定することができる。ＮＡＣＫを送信するＷＴＲＵ１００がセルまたはセクタのエッジにあることはほぼ確実であるので、ダウンリンク電力の計算は、この仮定のもとに行う必要がある。Ｎｏｄｅ−Ｂ２００はセルまたはセクタのサイズを認識しているので、Ｎｏｄｅ−Ｂ２００は、別の信号を大きく干渉しないようにダウンリンク伝送電力および／またはＭＣＳを構成することができる。したがって、任意の１つのＴＴＩについてＮＡＣＫを送信する必要があるのは、ほんのわずかなＷＴＲＵだけである。フィードバック電力が固定されているこの手法によれば、ルールは、ＷＴＲＵがフィードバックを送信することを禁止するように設定することができる。
【００２４】
ＮＡＣＫを送信するＷＴＲＵ１００がセルまたはセクタのエッジにあることはほぼ確実であるので、共用フィードバックチャネル（たとえば、Ｐ−ＲＡＦＣＨ）のアップリンク伝送電力は、この仮定のもとに決定することができる。Ｎｏｄｅ−Ｂ２００はセルまたはセクタのサイズを認識しているので、Ｎｏｄｅ−Ｂ２００は、Ｎｏｄｅ−Ｂ２００において別の信号を大きく干渉しないようにアップリンク伝送電力を構成する。
【００２５】
上記の仮定のもと（ＴＴＩあたりの期待されるＮＡＣＫはほとんどない）、Ｎｏｄｅ−Ｂ２００は、ＮＡＣＫの衝突の確率が低く抑えられて、Ｎｏｄｅ−Ｂ２００がアップリンク容量に重大な影響を及ぼすことなく膨大な数のＮＡＣＫを受信することができるように、十分な共用フィードバックチャネルリソースを割り振ることができる。
【００２６】
Ｎｏｄｅ−Ｂ２００が少なくとも１つのＮＡＣＫを受信する場合、Ｎｏｄｅ−Ｂ２００は、ＮＡＣＫが受信される再送信をスケジュールする。このような方法で、ＨＳ−ＰＤＳＣＨは、通常のＨＳＤＰＡ操作における従来の動作と同様に動作する。パケット配信は、現在のＨＡＲＱで保証されている程度（つまり、再送信およびＮＡＣＫのフィードバックのエラーの最大限度に従う）と同様に保証される。
【００２７】
Ｎｏｄｅ−Ｂは、しきい値を保持し、ＷＴＲＵからのＮＡＣＫの数がしきい値を超える場合に限り、ダウンリンク伝送を再送信することができる。データ配信は保証されないが、適切ではないＷＴＲＵはほんのわずかに過ぎないことが保証される。このことは、少数のＷＴＲＵのダウンリンク共用サービスのスループットに対する影響を制限する。代替として、Ｎｏｄｅ−Ｂ２００は、ＮＡＣＫを無視することができる。Ｎｏｄｅ−Ｂ２００は、共用フィードバックチャネルにリソースを割り振ることをせず、同様の結果を得ることができる。
【００２８】
Ｎｏｄｅ−Ｂ２００は、ＮＡＣＫをプールし（つまり、再送信が必要なデータを追跡し）、後に単一のパケットとして複数のダウンリンク伝送を再送信することができる。この場合、シーケンス番号およびバッファリングは、拡張される必要がある。
【００２９】
Ｎｏｄｅ−Ｂ２００は、ＨＳ−ＰＤＳＣＨに対して次のダウンリンク電力制御機構を実施することができる。Ｐnを、ＴＴＩ  ｎのＨＳ−ＰＤＳＣＨ電力基準（つまり、ビットあたりの電力）とする。ＮＡＣＫが受信される場合、Ｎｏｄｅ−Ｂ２００は、以下のようにＴＴＩ（ｎ＋１）の伝送電力基準を設定することができる。  
Ｐn+1＝Ｐn＋ｆ（ｎｕｍ．ｏｆ  ＮＡＣＫｓ）ΔNACK  または      式（１）
Ｐn+1＝ＰMAX      式（２）
Ｎｏｄｅ−Ｂ２００がＮＡＣＫを受信しない場合、Ｎｏｄｅ−Ｂ２００は、以下のようにＴＴＩ（ｎ＋１）の伝送電力基準を設定することができる。  
Ｐn+1＝Ｐn−ΔACK      式（３）
ここで、ΔACK、ΔNACK＞０、ｆ（）は、その引数の正の非減少の（ただし、一定であってもよい）関数である。Ｎｏｄｅ−Ｂ２００がＮＡＣＫを全く受信しない場合、Ｎｏｄｅ−Ｂ２００は、事前定義された減分ずつ伝送電力基準を減少させることができる。ＮＡＣＫが受信されるとすぐに、伝送電力基準は、事前定義された増分ずつ増加させることができる。事前定義された増分および減分は、同じであっても、同じでなくてもよい。増加は、受信されたＮＡＣＫの数に依存する（ただし、一定であってもよい）。増加の増分ｆ（ｎｕｍ．ｏｆ  ＮＡＣＫｓ）ΔNACKは、好ましくは減少の減分ΔACKよりもはるかに大きい。図４は、ＨＳ−ＰＤＳＣＨの１つの可能な電力変動方式を示す図である。
【００３０】
ＴＴＩ  ｎにおける実際の伝送電力は、従来の場合と同様に、Ｐnおよびデータに選択されたデータ形式に依存する。加えて、最大電力および最小電力は、実際の伝送電力を制限するために設定することができる。
【００３１】
伝送電力制御に加えて、または代替として、Ｎｏｄｅ−Ｂ２００は、同様の方法でダウンリンク共用サービスのＭＣＳを調整することができる。ＮＡＣＫが受信されない場合、Ｎｏｄｅ−Ｂ２００はＭＣＳの順序を上げることができ、少なくとも１つのＮＡＣＫが受信される場合、Ｎｏｄｅ−Ｂ２００はＭＣＳの順序を下げることができる。
【００３２】
電力制御およびＭＣＳ制御の両方について、Ｎｏｄｅ−Ｂ２００は、可能な伝送電力およびＭＣＳの範囲を決定する際にその他のサービスに割り振られたリソースを考慮することができる。たとえば、他のサービスによって作成されたロードが低い場合、Ｎｏｄｅ−Ｂ２００は、その伝送電力を増大させること、および／またはダウンリンク共用サービスに使用されるＭＣＳを減少させることができるが、これによりさらに多くのＷＴＲＵがサービスを復号できるようになる。
【００３３】
ダウンリンク共用サービスをリッスンしているＷＴＲＵの数をＮｏｄｅ−Ｂ２００が認識する必要がある場合、Ｎｏｄｅ−Ｂ２００は一時的（たとえば、１つのＴＴＩ）に、すべてのＷＴＲＵにＮＡＣＫを送信するよう要求することができる。これに対して、Ｎｏｄｅ−Ｂ２００は、特殊バーストまたは意図的に誤ったＣＲＣチェックを備えるデータシーケンスを送信することができる。これは、すべてのＷＴＲＵに強制的にＮＡＣＫで応答させる。Ｎｏｄｅ−Ｂ２００は、フェーディングおよび衝突による損失を考慮に入れながら、受信したＮＡＣＫの数をカウントする。このことは、ほぼ正確であるべきカウントをもたらすだけではなく、ＮＡＣＫ電力が（受信電力に対して相対である場合とは対照的に）「絶対」である場合、アップリンクチャネル品質の配信も得られる。
【００３４】
図５は、もう１つの実施形態によるＨＳＤＰＡを介してダウンリンク共用チャネルのフィードバックをＷＴＲＵに提供するプロセス５００を示す流れ図である。ＷＴＲＵ１００は、ＷＴＲＵがＣｅｌｌ＿ＦＡＣＨ状態にある間、Ｎｏｄｅ−Ｂ２００からＨＳ−ＳＣＣＨで信号伝達を受信する（ステップ５０２）。ＷＴＲＵ１００がＨＳ−ＳＣＣＨ上の信号伝達でＷＴＲＵ１００のアイデンティティを正常に復号した場合、ＷＴＲＵ１００はＨＳ−ＰＤＳＣＨ上でダウンリンク伝送を復号する（ステップ５０４）。ＷＴＲＵ１００は、コンテンションベースの共用フィードバックチャネルを介するダウンリンク伝送の復号に基づいて肯定応答をＮｏｄｅ−Ｂ２００に送信する（ステップ５０６）。共用フィードバックチャネル上の伝送およびＨＳ−ＳＣＣＨ上の信号伝達は、固定されたタイミング関係を備える。
【００３５】
１つの共用フィードバックチャネルは、アップリンク内の１つのスクランブルコードおよび１つのチャネル化コードを備える。少なくとも１つの共用フィードバックチャネルは、ダウンリンク内の各ＨＳ−ＳＣＣＨに関連付けられている。共用フィードバックチャネルは、関連するＨＳ−ＳＣＣＨを監視するよう要求されるＣＥＬＬ＿ＦＡＣＨのすべてのＷＴＲＵの間で共用される。
【００３６】
別のＷＴＲＵによる共用フィードバックチャネル上の伝送は時分割であり、ＨＳ−ＳＣＣＨ上の信号伝達に関してタイミング制約に従う。さらに具体的には、ＷＴＲＵ１００は、ＨＳ−ＳＣＣＨ上でＷＴＲＵ  ＩＤを正常に復号した後に固定の時間間隔において関連する共用フィードバックチャネル上でＡＣＫまたはＮＡＣＫメッセージ（つまり、高速無線ネットワーク一時アイデンティティ（Ｈ−ＲＮＴＩ；  ｈｉｇｈ  ｓｐｅｅｄ  ｒａｄｉｏ  ｎｅｔｗｏｒｋ  ｔｅｍｐｏｒａｒｙ  ｉｄｅｎｔｉｔｙ））を伝送する。時間間隔の存続期間は、ＷＴＲＵ１００がＨＳ−ＰＤＳＣＨでデータを受信して復号し、エラーがあったかどうかを評価（つまり、巡回冗長検査（ＣＲＣ）確認）できるように十分に長く、しかしＮｏｄｅ−Ｂ２００が誤りのあるトランスポートブロックをＨＡＲＱ処理の一部として迅速に再伝送できるように十分に短く設定する必要がある。共用フィードバックチャネル上の伝送は、フィードバックを伝送するＷＴＲＵ間の衝突を回避するために、最大限でも１つのＴＴＩの長さにわたり存続する必要がある。さらに、異なるタイミングオフセット（たとえば、遠近（ｎｅａｒ−ｆａｒ）問題）を持つＷＴＲＵが、共用フィードバックチャネル上で伝送する場合に衝突することを回避するために、適切な保護期間が定義される必要がある。
【００３７】
共用フィードバックチャネルに関連する情報およびパラメータは、ブロードキャスト制御チャネル（ＢＣＣＨ）／ブロードキャストチャネル（ＢＣＨ）上のＳＩＢを通じて、または専用ＲＲＣ信号伝達（たとえば、ＲＲＣ  ＣＯＮＮＥＣＴＩＯＮ  ＳＥＴＵＰメッセージの新しい情報要素（ＩＥ））を通じて、ＨＳ−ＳＣＣＨ関連の情報の信号伝達と同時にＷＴＲＵ１００に信号伝達することができる。
【００３８】
ＷＴＲＵ１００がフィードバックを送信する伝送電力は、基準チャネル（たとえば、ＣＰＩＣＨ、ＨＳ−ＰＤＳＣＨなど）で測定された受信電力およびネットワークで供給されたオフセットに基づいて設定することができる。オフセット値は、ＳＩＢの一部であってもよい。代替として、ネットワークは、絶対電力を使用するようＷＴＲＵ１００に指示することができるが、ＷＴＲＵ１００がフィードバックの提供を許可される場合にルールを供給する。たとえば、ＷＴＲＵ１００は、受信した基準チャネル電力が事前定義されている値を下回る場合に、フィードバックの送信を許可されてもよい。代替として、標準的なＨＳ−ＳＣＣＨは、共用フィードバックチャネル上のフィードバックの伝送に関連する電力制御情報を含むように変更することができる。電力オフセットまたは相対電力コマンド（たとえば、増大または減少）ビットは、ＨＳ−ＳＣＣＨに導入されて、共用フィードバックチャネル上のＷＴＲＵの伝送電力を調整することができる。オプションで、ＷＴＲＵ１００は、フィードバックにチャネル品質情報を含むことができる。
【００３９】
以下、Ｐ−ＲＡＦＣＨを介してＣＱＩを送信する方式が開示される。ＣＱＩはまた、Ｐ−ＲＡＦＣＨを介して伝送される。ＣＱＩフィードバックがスケジュールまたはトリガされる場合、Ｎｏｄｅ−Ｂは、ＮＡＣＫのみのフィードバック、ＣＱＩのみのフィードバック、およびＮＡＣＫによってトリガされるＣＱＩフィードバック（つまり、ＮＡＣＫ＋ＣＱＩ）を区別することができる必要がある。Ｐ−ＲＡＦＣＨバーストは、ＮＡＣＫのみ、ＣＱＩのみ、またはＮＡＣＫ＋ＣＱＩを示すデータタイプインジケータ、必要に応じてＣＱＩビットを搬送するデータフィールド、および必要に応じて変調位相および電力基準を搬送する基準フィールドを含む。
【００４０】
これらのフィールドは、時分割多重（ＴＤＭ）によりバーストにマップすることができる（つまり、各データは各自の時間区分で伝送される）。代替として、フィールドは、符号分割多重（ＣＤＭ）によりバーストにマップすることができる（たとえば、ＰＲＡＣＨプリアンブルの場合のようなシグニチャベースの構造）。代替として、フィールドは、周波数分割多重（ＦＤＭ）によりバーストにマップすることができる。ＦＤＭは特に、多数の副搬送波を使用することができるＬＴＥ（Ｌｏｎｇ  Ｔｅｒｍ  Ｅｖｏｌｕｔｉｏｎ）のようなシステムに適している。これらのフィールドを搬送するための基本的な物理チャネルリソースは、少なくともＷＴＲＵにおいて直交であってもよいが、それは必須ではない。
【００４１】
データフィールドは、存在する場合、変調ベクトル空間に次元をもたらす各物理チャネルリソース（タイムスロット、シグニチャ、搬送波など）で任意の多元変調方式を使用することができる。可能な変調方式の一部の例は以下のとおりである。
（１）多次元ｍ位相偏移キーイング（ＰＳＫ；ｐｈａｓｅ  ｓｈｉｆｔ  ｋｅｙｉｎｇ）（バイナリ位相偏移キーイング（ＢＰＳＫ；ｂｉｎａｒｙ  ｐｈａｓｅ  ｓｈｉｆｔ  ｋｅｙｉｎｇ）（ｍ＝２）、直交位相偏移キーイング（ＱＰＳＫ；ｑｕａｄｒａｔｕｒｅ  ｐｈａｓｅ  ｓｈｉｆｔ  ｋｅｙｉｎｇ）（ｍ＝４）を含む）、ｍは２の整数累乗である。必要な物理チャネルリソースの数はＭ／ｌｏｇ2ｍであり、追加の位相および電力基準が必要となる。
（２）多次元ｍ直交振幅変調（ＱＡＭ；ｑｕａｄｒａｔｕｒｅ  ａｍｐｌｉｔｕｄｅ  ｍｏｄｕｌａｔｉｏｎ）（ＢＰＳＫ（ｍ＝２）およびＱＰＳＫ（ｍ＝４）を含む）、ｍは２の整数累乗である。必要な物理チャネルリソースの数はＭ／ｌｏｇ2ｍであり、追加の位相および電力基準が必要となる。
（３）ｍ−ａｒｙ直交変調。必要な物理チャネルリソースの数はＭであり（つまり、ｍ＝Ｍ）、追加の位相および電力基準は必要ない。
（４）ｍ−ａｒｙ双直交変調。必要な物理チャネルリソースの数はＭ／２であり（つまり、ｍ＝Ｍ／２）、追加の位相および電力基準が必要となる。
（５）多次元ｏｎ−ｏｆｆキーイング（つまり、Ｍ／２搬送波は電力があるかないかのいずれかである）。必要な物理チャネルリソースの数はＭ／２であり（つまり、ｍ＝Ｍ／２）、追加の位相および電力基準は必要ない。
【００４２】
使用される変調方式は、ＷＴＲＵに信号伝達される必要がある。特定の変調方式が位相および電力基準の使用を必要とすることもあるが、必要としない変調方式もある。基準は、必要とされる場合、データタイプインジケータと共に送信することができる。データタイプインジケータおよび基準フィールドは、別個の物理リソースで送信することができる。代替として、データイプインジケータのみが送信され、基準フィールドは決定フィードバックを使用してデータタイプインジケータから導かれる（つまり、データタイプインジケータは正しく復調されるものと仮定されるが、これにより基準信号としての再使用が可能になる）。
【００４３】
加えて、データタイプインジケータの明示的な伝送を回避するため、ＣＱＩは常に、ＮＡＣＫを伝送する必要によってトリガされてもよい（つまり、ＮＡＣＫおよびＣＱＩは常に一緒に送信される）。代替として、ＮＡＣＫが送信されてＣＱＩが送信される必要がない場合、最高のＣＱＩ値に対応するデータフィールドが使用されてもよい。これらの伝送のタイプは、暗黙的データタイプフォーマットと呼ばれる。このフォーマットの使用は、ＷＴＲＵに信号伝達される必要がある。
【００４４】
Ｎｏｄｅ−Ｂは、完全バーストにわたる電力の存在を検出する。バースト空間に電力が検出され、データタイプインジケータが使用される場合、Ｎｏｄｅ−Ｂはデータタイプインジケータを読み取る。ＣＱＩが存在する場合、ＣＱＩは、使用される変調方式に従って復調される。暗黙的データタイプフォーマットが使用される場合、電力の存在は、ＮＡＣＫおよびＣＱＩ伝送を示す。
【００４５】
伝送のマルチキャスト特性と、多くまたはすべてのＷＴＲＵに対応する必要により、Ｎｏｄｅ−Ｂはある期間にわたりＣＱＩを収集することができる。Ｎｏｄｅ−Ｂは、この期間にわたる最小のＣＱＩを選択し、最小ＣＱＩに従ってデータ転送速度をスケジュールする。このようにして、すべてのＷＴＲＵが対応される可能性を高くすることができる。
【００４６】
しかし、この方式は、チャネル状態の良くないＷＴＲＵがシステム全体のスループットを大幅に低下させるという欠点を備えている。ＷＴＲＵからのすべてのフィードバックが匿名であるため、Ｎｏｄｅ−Ｂは、そのようなＷＴＲＵが存在することを直接に識別する方法を備えていない。この問題を解決するため、Ｎｏｄｅ−Ｂは、ＣＱＩ伝送に関する統計を収集することができ、大多数から統計的に非常にかけ離れたＣＱＩを無視することができる。次いで、Ｎｏｄｅ−Ｂは、残りのＣＱＩから最小のＣＱＩを選択することができ、それをベースラインとして使用する。
【００４７】
代替として、Ｎｏｄｅ−Ｂは、異常値の除去後にＣＱＩの特定の小さいサブセット（たとえば、下側２０％または下側１０％）を選択することができる。次いで、Ｎｏｄｅ−Ｂは、それらの平均（たとえば、実際の平均、中央値など）を使用することができる。マルチキャストの特性により、最高のＣＱＩが、システムオペレーションに影響を与える可能性は低い。したがって、ＷＴＲＵは、最高の可能なＣＱＩ値を送信することはない。
【００４８】
以下、レイヤ２／３（Ｌ２／３）ベースのオペレーションのもう１つの実施形態が開示される。ＷＴＲＵ１００は、フィードバックをダウンリンク共用サービスにレポートするタイミング、頻度、および相手をＷＴＲＵ１００に示すネットワーク信号伝達をリッスンする。ＷＴＲＵ１００は、共用ダウンリンクサービスに対して割り振られているＴＴＩで信号を復号する。次いで、ＷＴＲＵ１００は、復号の成功または失敗率の統計を収集し、ネットワークによって提供される事前定義のしきい値に対して復号の統計を比較する。ＷＴＲＵ１００は、復号統計が事前定義のしきい値を下回る場合、フィードバックを送信する。
【００４９】
ＷＴＲＵ１００が、同じデータを伝送する複数の同期化されたＮｏｄｅ−Ｂから１つのＮｏｄｅ−Ｂを選択した場合、ＷＴＲＵ１００はその選択されているＮｏｄｅ−Ｂのみにフィードバックを伝送する。ＷＴＲＵ１００が、アクティブセットの複数のＮｏｄｅ−Ｂからの信号のソフト結合を実行する場合、ＷＴＲＵ１００はアクティブセット内の最も強いＮｏｄｅ−Ｂにフィードバックを送信する。
【００５０】
ネットワークは、ダウンリンク共用サービス（たとえば、ＭＢＭＳ）が受信されるセルとは異なるセルでＮＡＣＫの望ましい伝送を示すことができる。セルは、ネットワークにより示される。
【００５１】
ダウンリンク共用サービスは、ＮＡＣＫと共に伝送されるコードにマップすることができる。代替として、ＷＴＲＵ接続ＩＤが信号伝達されてもよい。代替として、フィードバックにＰＲＡＣＨを使用する場合、物理チャネルアクセス機会はダウンリンク共用サービスにマップすることができる。マッピングは、ネットワークによって示されてもよい。必要に応じて、ＣＱＩ情報は、ＮＡＣＫと共に、またはその代わりに伝送することができる。信号伝達はＬ２／３において行われるので、ビットの最大数は簡単な方法でサポートされる。
【００５２】
一部のダウンリンク共用サービス（たとえば、ビデオ）は、特定のユーザが他のユーザよりも高いスループットおよび品質を得るような階層化ＱｏＳ機構を使用することができる。無線システムにおいて、ユーザのＱｏＳを決定する重要な要因は、システム内のユーザの場所を前提として達成可能なスループットである。セルのエッジにおいて達成可能な最大スループットは通常、セル中央周囲で達成可能なスループットよりも小さい。階層化ＱｏＳは、専用物理チャネルからのフィードバックなしでサポートされてもよい。
【００５３】
１つの標準的な階層化ＱｏＳ機構（たとえば、Ｄｉｇｉｔａｌ  Ｖｉｄｅｏ  Ｂｒｏａｄｃａｓｔｉｎｇ（ＤＶＢ））は、階層変調に基づいている。階層変調において、複数のデータストリーム（通常、高優先度および低優先度）は、すべてのユーザによって受信される単一の信号に変調される。良好な信号品質を備えるユーザは両方のデータストリームを復号することができるが、信号品質の低いユーザは高優先度のストリームのみを復号することができる。たとえば、ストリームは、１６直交振幅変調（１６ＱＡＭ）信号として符号化することができる。信号のある象限は２つの高優先度ビットを表すが、象限内の信号の位置は２つの低優先度ビットを表す。良好な信号品質を備えるユーザは信号を１６ＱＡＭとして復号することができるが、信号品質の低いユーザは信号を直交位相偏移キーイング（ＱＰＳＫ）として復号して高優先度ビットのみを抽出することしかできない。
【００５４】
本発明の教示により、一部の新しい信号伝達が提供される。ネットワークの観点から、単に好ましく位置するＷＴＲＵの性能に関する情報が不足しているために、すべてのＷＴＲＵが、高優先度のストリームの復号に基づいてそのＡＣＫまたはＮＡＣＫフィードバックをレポートすることは不十分であると考えられる。一方、すべてのストリームの復号に基づいてすべてのＷＴＲＵがフィードバックを提供することもまた、好ましくない位置にあるＷＴＲＵがＮＡＣＫでＰ−ＲＡＦＣＨをオーバーロードするので不十分である。
【００５５】
ネットワークは、どのストリーム上で各ＷＴＲＵがフィードバックを提供すべきか判定するために、少なくとも１つのＣＱＩしきい値を設定する。ＣＱＩしきい値は、ネットワークから（たとえば、ブロードキャスト、マルチキャスト、またはユニキャストに対して、ＢＣＣＨ、専用制御チャネル（ＤＣＣＨ）、またはＭＢＭＳ制御チャネル（ＭＣＣＨ）で）信号伝達される。
【００５６】
ＷＴＲＵ１００は、各自のＣＱＩ（または平均ＣＱＩ）を測定する。ＷＴＲＵ１００は、測定されたＣＱＩとＣＱＩしきい値を比較し、測定されたＣＱＩよりも高い最小のＣＱＩしきい値を決定する。このＣＱＩしきい値は、ＷＴＲＵ１００がフィードバックをレポートする必要のある特定のストリームのサブセットに対応する。ＷＴＲＵ１００は、ＣＱＩの比較に基づいて決定されたストリームのサブセットの復号についてＡＣＫまたはＮＡＣＫフィードバックをレポートする。高品質サービスに対するＷＴＲＵサブスクリプションに基づいてフィードバックをレポートするようにストリームのサブセットをさらに制約することが可能である。
【００５７】
特定のＣＱＩしきい値は、ＷＴＲＵ１００がフィードバックを提供することを許可されないしきい値よりも低く設定することができる。たとえば、２つのストリーム（高優先度ストリームおよび低優先度ストリーム）しかなく、２つのＣＱＩしきい値（高ＣＱＩしきい値および低ＣＱＩしきい値）が設定されている場合、測定されたＣＱＩが高ＣＱＩしきい値を超えれば、ＷＴＲＵ１００は高優先度および低優先度のストリームについてフィードバックをレポートすることができる。測定されたＣＱＩが高ＣＱＩしきい値よりも低いが、低ＣＱＩしきい値よりも高い場合、ＷＴＲＵ１００は高優先度ストリームのみについてフィードバックをレポートすることができる。測定されたＣＱＩが低ＣＱＩしきい値よりも低い場合、ＷＴＲＵ１００は全くフィードバックを提供することができない。
【００５８】
Ｎｏｄｅ−Ｂ２００は、ロード状態に基づいて、時々ＣＱＩしきい値を変更することができる。たとえば、他のサービスが原因でＮｏｄｅ−Ｂ２００のロードが低い場合、Ｎｏｄｅ−Ｂ２００は、さらに多くのリソースをダウンリンク共用サービスに割り振り、あまり攻撃的ではないＭＣＳをストリームの符号化に採用することができるが、それによりさらに多くのＷＴＲＵが高いＱｏＳを享受できるようになる。ダウンリンク共用サービスと他のサービスとの間に高いコンテンションがある場合、Ｎｏｄｅ−Ｂ２００は、より攻撃的なＭＣＳを使用してストリームを伝送し、それによりダウンリンク共用サービスに関するリソースの量を軽減することができる。
【００５９】
代替として、複数のストリームは、異なる時間に、または異なるコードを使用して、別々に伝送することができる。たとえば、高優先度のストリームはあまり攻撃的ではないＭＣＳで伝送することができるが、低優先度のストリームはより攻撃的なＭＣＳで伝送することができる。このことは、ストリームを復号するためのＭＣＳおよびＣＱＩしきい値の選択にさらなる柔軟性をもたらすことができる。欠点は、ストリームが同一の信号に結合されないので、効率性に劣ることである。
【００６０】
実施形態
１．  複数のＷＴＲＵに伝送されるダウンリンク共用サービスのフィードバックを送信する方法。
【００６１】
２．  ＷＴＲＵがダウンリンク共用チャネルを介してＮｏｄｅ−Ｂからダウンリンク伝送を受信することを含むことを特徴とする実施形態１に記載の方法。
【００６２】
３．  ＷＴＲＵがコンテンションベースの共用フィードバックチャネルを介してＮＡＣＫおよびＣＱＩのうちの少なくとも１つを示す事前定義されたバーストをＮｏｄｅ−Ｂに送信することを含むことを特徴とする実施形態２に記載の方法。
【００６３】
４．  事前定義されたバーストはＮｏｄｅ−Ｂからの肯定応答を必要とすることなく１回だけ送信されることを特徴とする実施形態３に記載の方法。
【００６４】
５．  事前定義されたバーストの伝送電力はＮｏｄｅ−Ｂからの基準チャネルの受信電力に基づいて決定されることを特徴とする実施形態３から４のいずれか１つに記載の方法。
【００６５】
６．  ＷＴＲＵはＮｏｄｅ−Ｂから事前定義されたバーストの絶対伝送電力を受信し、ＷＴＲＵはＮｏｄｅ−Ｂからの基準チャネルの受信電力が事前定義された値を下回る場合に限り事前定義されたバーストを伝送することを特徴とする実施形態３から５のいずれか１つに記載の方法。
【００６６】
７．  ＷＴＲＵは同じダウンリンク伝送を送信する複数のＮｏｄｅ−Ｂから特定のＮｏｄｅ−Ｂを選択し、ＷＴＲＵは選択されたＮｏｄｅ−Ｂのみに事前定義されたバーストを送信することを特徴とする実施形態３から６のいずれか１つに記載の方法。
【００６７】
８．  ＷＴＲＵはアクティブセットの複数のＮｏｄｅ−Ｂから受信したダウンリンク伝送のソフト結合を実行し、アクティブセットのＮｏｄｅ−Ｂの中で最も強い信号を有するＮｏｄｅ−Ｂに事前定義されたバーストを伝送することを特徴とする実施形態３から７のいずれか１つに記載の方法。
【００６８】
９．  ＷＴＲＵはｎ回のうちｍ回の連続する伝送に失敗した場合に限り事前定義されたバーストを送信することを特徴とする実施形態３から８のいずれか１つに記載の方法。
【００６９】
１０．  事前定義されたバーストは、ＮＡＣＫのみ、ＣＱＩのみ、およびＮＡＣＫ＋ＣＱＩのうちの１つを示すデータタイプインジケータ、ＣＱＩビットを搬送するデータフィールド、並びに変調位相および電力基準を搬送する基準フィールドのうちの少なくとも１つを含むことを特徴とする実施形態３から９のいずれか１つに記載の方法。
【００７０】
１１．  データタイプインジケータ、データフィールド、および基準フィールドはＴＤＭ、ＣＤＭ、およびＦＤＭのうちの１つによって事前定義されたバーストにマップされることを特徴とする実施形態１０に記載の方法。
【００７１】
１２．  ＮＡＣＫのみが送信される場合、最高ＣＱＩ値がデータフィールドによって搬送されることを特徴とする実施形態１０から１１のいずれか１つに記載の方法。
【００７２】
１３．  ＨＳＤＰＡを介して複数のＷＴＲＵに伝送されるダウンリンク共用サービスのフィードバックを送信する方法。
【００７３】
１４．  ＷＴＲＵがＲＲＣ  Ｃｅｌｌ＿ＦＡＣＨ状態にある間、ＷＴＲＵがＮｏｄｅ−ＢからＨＳ−ＳＣＣＨで信号伝達を受信することを含むことを特徴とする実施形態１３に記載の方法。
【００７４】
１５．  ＷＴＲＵがＨＳ−ＳＣＣＨ上の信号伝達でＷＴＲＵのアイデンティティを正常に復号した場合、ＷＴＲＵがＨＳ−ＰＤＳＣＨでダウンリンク伝送を復号することを含むことを特徴とする実施形態１４に記載の方法。
【００７５】
１６．  ＷＴＲＵが、コンテンションベースの共用フィードバックチャネルを介するダウンリンク伝送、共用フィードバックチャネルでの伝送、および固定のタイミング関係を有するＨＳ−ＳＣＣＨでの信号伝達の復号に基づいて肯定応答をＮｏｄｅ−Ｂに送信することを含むことを特徴とする実施形態１５に記載の方法。
【００７６】
１７．  共用フィードバックチャネルでの肯定応答の伝送電力はＮｏｄｅ−Ｂからの基準チャネルの受信電力に基づいて決定されることを特徴とする実施形態１６に記載の方法。
【００７７】
１８．  ＷＴＲＵはＮｏｄｅ−Ｂから共用フィードバックチャネルで肯定応答の絶対伝送電力を受信し、ＷＴＲＵはＮｏｄｅ−Ｂからの基準チャネルの受信電力が事前定義された値を下回る場合に限り肯定応答を伝送することを特徴とする実施形態１６から１７のいずれか１つに記載の方法。
【００７８】
１９．  ＨＳ−ＳＣＣＨは肯定応答の電力制御情報を搬送することを特徴とする実施形態１６から１８のいずれか１つに記載の方法。
【００７９】
２０．  ダウンリンク共用チャネルを介して複数のＷＴＲＵに伝送されるダウンリンク共用サービスのフィードバックの伝送をサポートする方法。
【００８０】
２１．  Ｎｏｄｅ−Ｂがダウンリンク共用チャネルを介して複数のＷＴＲＵにダウンリンク伝送を送信し、ダウンリンク伝送が高い受信成功の確度でＷＴＲＵに伝送されるように、ダウンリンク共用チャネルのダウンリンク伝送電力を較正することを含むことを特徴とする実施形態２０に記載の方法。
【００８１】
２２．  Ｎｏｄｅ−Ｂがコンテンションベースの共用フィードバックチャネルを介してＷＴＲＵから事前定義されたバーストをフィードバックとして受信することを含み、フィードバックはＮＡＣＫおよびＣＱＩのうちの少なくとも１つを示すことを特徴とする実施形態２１に記載の方法。
【００８２】
２３．  事前定義されたバーストはＮｏｄｅ−Ｂからの肯定応答を必要とすることなく１回だけ送信されることを特徴とする実施形態２２に記載の方法。
【００８３】
２４．  Ｎｏｄｅ−Ｂは、Ｎｏｄｅ−ＢがＮＡＣＫを受信する場合あらかじめ定められた関数に基づいてダウンリンク伝送の伝送電力を増大させ、Ｎｏｄｅ−ＢがＮＡＣＫを受信しない場合には伝送電力を減少させることを特徴とする実施形態２２から２３のいずれか１つに記載の方法。
【００８４】
２５．  伝送電力はＮＡＣＫの数に基づいて減少されることを特徴とする実施形態２２から２４のいずれか１つに記載の方法。
【００８５】
２６．  Ｎｏｄｅ−ＢはＷＴＲＵからのフィードバックに基づいてＭＣＳを調整することを特徴とする実施形態２２から２５のいずれか１つに記載の方法。
【００８６】
２７．  Ｎｏｄｅ−Ｂがエラーを含む特殊ダウンリンク伝送をＷＴＲＵに伝送することをさらに含むことを特徴とする実施形態２２から２６のいずれか１つに記載の方法。
【００８７】
２８．  Ｎｏｄｅ−Ｂが特殊ダウンリンク伝送に応答して送信されるフィードバックに基づいてＷＴＲＵの数をカウントすることを含むことを特徴とする実施形態２７に記載の方法。
【００８８】
２９．  Ｎｏｄｅ−ＢはＷＴＲＵからのＮＡＣＫの数があらかじめ定められたしきい値を超える場合に限り、ダウンリンク伝送を再伝送することを特徴とする実施形態２１から２８のいずれか１つに記載の方法。
【００８９】
３０．  Ｎｏｄｅ−Ｂはある期間にわたりＷＴＲＵからＣＱＩを収集し、この期間にわたる最小のＣＱＩを選択し、最小ＣＱＩに従ってデータ転送速度をスケジュールすることを特徴とする実施形態２１から２９のいずれか１つに記載の方法。
【００９０】
３１．  Ｎｏｄｅ−Ｂは最小のＣＱＩを選択する場合に統計的に例外的に低いＣＱＩを無視することを特徴とする実施形態３０に記載の方法。
【００９１】
３２．  Ｎｏｄｅ−Ｂはある期間にわたりＷＴＲＵからＣＱＩを収集し、ＣＱＩのサブセットを選択し、サブセット内のＣＱＩの平均を計算し、平均に基づいてデータ転送速度をスケジュールすることを特徴とする実施形態２１から２９のいずれか１つに記載の方法。
【００９２】
３３．  Ｎｏｄｅ−Ｂがダウンリンク共用チャネルを介して複数のＷＴＲＵにダウンリンク共用サービスのダウンリンク伝送を送信することを含み、ダウンリンク伝送は少なくとも２つのデータストリームを含み、高い信号品質を有するＷＴＲＵがすべてのデータストリームを復号するが、低い信号品質を有するＷＴＲＵが全体よりも少ないデータストリームを復号するように、各データストリームが異なるＭＣＳを使用して処理されることを特徴とする実施形態２０に記載の方法。
【００９３】
３４．  Ｎｏｄｅ−Ｂが少なくとも１つのＣＱＩしきい値をＷＴＲＵに送信することを含み、各ＷＴＲＵは受信されたダウンリンク伝送のＣＱＩを測定し、ＣＱＩしきい値および測定されたＣＱＩに基づいて、どのデータストリームで各ＷＴＲＵがフィードバックを提供すべきか判定することを特徴とする実施形態３３に記載の方法。
【００９４】
３５．  ＷＴＲＵがダウンリンク共用チャネルを介してＮｏｄｅ−Ｂからダウンリンク共用サービスのダウンリンク伝送を受信することを含み、ダウンリンク伝送は少なくとも２つのデータストリームを含み、高い信号品質を有するＷＴＲＵがすべてのデータストリームを復号することができるが、低い信号品質を有するＷＴＲＵが全体よりも少ないデータストリームを復号することができるように、各データストリームが異なるＭＣＳを使用して処理されることを特徴とする実施形態１に記載の方法。
【００９５】
３６．  ＷＴＲＵがＮｏｄｅ−ＢからＣＱＩしきい値を受信することを含むことを特徴とする実施形態３５に記載の方法。
【００９６】
３７．  ＷＴＲＵが受信したダウンリンク伝送のＣＱＩを測定することを含むことを特徴とする実施形態３６に記載の方法。
【００９７】
３８．  ＷＴＲＵが、測定されたＣＱＩとＣＱＩしきい値を比較することにより、どのデータストリームでＷＴＲＵがＮｏｄｅ−Ｂにフィードバックを提供すべきか判定することを含むことを特徴とする実施形態３７に記載の方法。
【００９８】
３９．  ＷＴＲＵが決定されたデータストリームのフィードバックをＮｏｄｅ−Ｂに送信することを含むことを特徴とする実施形態３８に記載の方法。
【００９９】
４０．  ダウンリンク共用チャネルを介して伝送されるダウンリンク共用サービスのフィードバックを提供するＷＴＲＵ。
【０１００】
４１．  ダウンリンク共用チャネルを介してＮｏｄｅ−Ｂからダウンリンク共用サービスのダウンリンク伝送を受信する受信機を備えることを特徴とする実施形態４０に記載のＷＴＲＵ。
【０１０１】
４２．  ダウンリンク伝送を復号する復号器を備えることを特徴とする実施形態４１に記載のＷＴＲＵ。
【０１０２】
４３．  コンテンションベースの共用フィードバックチャネルを介してＮＡＣＫおよびＣＱＩのうちの少なくとも１つを示す事前定義されたバーストをＮｏｄｅ−Ｂに送信する送信機を備えることを特徴とする実施形態４２に記載のＷＴＲＵ。
【０１０３】
４４．  送信機はＮｏｄｅ−Ｂからの肯定応答を必要とすることなく事前定義されたバーストを１回だけ送信することを特徴とする実施形態４３に記載のＷＴＲＵ。
【０１０４】
４５．  事前定義されたバーストの伝送電力はＮｏｄｅ−Ｂからの基準チャネルの受信電力に基づいて決定されることを特徴とする実施形態４３から４４のいずれか１つに記載のＷＴＲＵ。
【０１０５】
４６．  事前定義されたバーストは、Ｎｏｄｅ−Ｂからの基準チャネルの受信電力が事前定義された値を下回る場合に限り、Ｎｏｄｅ−Ｂによって指示された絶対伝送電力で送信されることを特徴とする実施形態４３から４５のいずれか１つに記載の方法。
【０１０６】
４７．  同じダウンリンク伝送を送信する複数のＮｏｄｅ−Ｂから特定のＮｏｄｅ−Ｂが選択されている場合、送信機は事前定義されたバーストを選択されたＮｏｄｅ−Ｂのみに送信することを特徴とする実施形態４３から４６のいずれか１つに記載のＷＴＲＵ。
【０１０７】
４８．  復号器はアクティブセットの複数のＮｏｄｅ−Ｂから受信したダウンリンク伝送をソフト結合し、送信機はアクティブセットのＮｏｄｅ−Ｂの中で最も強い信号を有するＮｏｄｅ−Ｂに事前定義されたバーストを伝送することを特徴とする実施形態４３から４７のいずれか１つに記載のＷＴＲＵ。
【０１０８】
４９．  送信機はｎ回のうちｍ回の連続する伝送に失敗した場合に限り事前定義されたバーストを送信することを特徴とする実施形態４３から４８のいずれか１つに記載のＷＴＲＵ。
【０１０９】
５０．  事前定義されたバーストはＮＡＣＫのみ、ＣＱＩのみ、およびＮＡＣＫ＋ＣＱＩのうちの１つを示すデータタイプインジケータを含むことを特徴とする実施形態４３から４９のいずれか１つに記載のＷＴＲＵ。
【０１１０】
５１．  事前定義されたバーストはＣＱＩビットを搬送するデータフィールド、および変調位相および電力基準を搬送する基準フィールドを含むことを特徴とする実施形態４３から５０のいずれか１つに記載のＷＴＲＵ。
【０１１１】
５２．  データタイプインジケータ、データフィールド、および基準フィールドはＴＤＭ、ＣＤＭ、およびＦＤＭのうちの１つによって事前定義されたバーストにマップされることを特徴とする実施形態５１に記載のＷＴＲＵ。
【０１１２】
５３．  ＮＡＣＫのみが送信される場合、最高ＣＱＩ値がデータフィールドによって搬送されることを特徴とする実施形態５１から５２のいずれか１つに記載のＷＴＲＵ。
【０１１３】
５４．  ＨＳＤＰＡを介して複数のＷＴＲＵに伝送されるダウンリンク共用サービスのフィードバックを提供するＷＴＲＵ。
【０１１４】
５５．  信号を受信する受信機を備えることを特徴とする実施形態５４に記載のＷＴＲＵ。
【０１１５】
５６．  ＷＴＲＵがＲＲＣ  Ｃｅｌｌ＿ＦＡＣＨ状態にある間にＨＳ−ＳＣＣＨで信号を復号し、ＷＴＲＵがＨＳ−ＳＣＣＨ上の信号でＷＴＲＵのアイデンティティを正常に復号する場合にＨＳ−ＰＤＳＣＨでダウンリンク伝送を復号する復号器を備えることを特徴とする実施形態５５に記載のＷＴＲＵ。
【０１１６】
５７．  コンテンションベースの共用フィードバックチャネルを介するダウンリンク伝送、共用フィードバックチャネルでの伝送、および固定のタイミング関係を有するＨＳ−ＳＣＣＨでの信号伝達の復号に基づいて肯定応答をＮｏｄｅ−Ｂに送信する送信機を備えることを特徴とする実施形態５６に記載のＷＴＲＵ。
【０１１７】
５８．  共用フィードバックチャネルでの肯定応答の伝送電力はＮｏｄｅ−Ｂからの基準チャネルの受信電力に基づいて決定されることを特徴とする実施形態５７に記載のＷＴＲＵ。
【０１１８】
５９．  送信機は、Ｎｏｄｅ−Ｂからの基準チャネルの受信電力が事前定義された値を下回る場合に限り、Ｎｏｄｅ−Ｂによって指示された絶対伝送電力でフィードバックを送信することを特徴とする実施形態５７から５８のいずれか１つに記載のＷＴＲＵ。
【０１１９】
６０．  ＨＳ−ＳＣＣＨは肯定応答の電力制御情報を搬送することを特徴とする実施形態５７から５９のいずれか１つに記載のＷＴＲＵ。
【０１２０】
６１．  ダウンリンク共用チャネルを介して複数のＷＴＲＵに伝送されるダウンリンク共用サービスのフィードバックの伝送をサポートするＮｏｄｅ−Ｂ。
【０１２１】
６２．  ダウンリンク共用チャネルを介してダウンリンク共用サービスのダウンリンク伝送を複数のＷＴＲＵに送信する送信機を備えることを特徴とする実施形態６１に記載のＮｏｄｅ−Ｂ。
【０１２２】
６３．  ダウンリンク伝送が高い受信成功の確度でＷＴＲＵに伝送されるよう、ダウンリンク共用チャネルでダウンリンク伝送電力およびＭＣＳのうちの少なくとも１つを制御する伝送電力およびＭＣＳ制御ユニットを備えることを特徴とする実施形態６２に記載のＮｏｄｅ−Ｂ。
【０１２３】
６４．  コンテンションベースの共用フィードバックチャネルを介してＷＴＲＵから事前定義されたバーストをフィードバックとして受信する受信機であって、フィードバックはＮＡＣＫおよびＣＱＩのうちの少なくとも１つを示す、受信機を備えることを特徴とする実施形態６３に記載のＮｏｄｅ−Ｂ。
【０１２４】
６５．  事前定義されたバーストはＮｏｄｅ−Ｂからの肯定応答を必要とすることなく１回だけ送信されることを特徴とする実施形態６４に記載のＮｏｄｅ−Ｂ。
【０１２５】
６６．  送信機は、ＮＡＣＫが受信される場合あらかじめ定められた関数に基づいてダウンリンク伝送の伝送電力を増大させ、ＮＡＣＫが受信されない場合には伝送電力を減少させることを特徴とする実施形態６４から６５のいずれか１つに記載のＮｏｄｅ−Ｂ。
【０１２６】
６７．  伝送電力はＮＡＣＫの数に基づいて減少されることを特徴とする実施形態６４から６６のいずれか１つに記載のＮｏｄｅ−Ｂ。
【０１２７】
６８．  送信機はＷＴＲＵからのフィードバックに基づいてＭＣＳを調整することを特徴とする実施形態６４から６７のいずれか１つに記載のＮｏｄｅ−Ｂ。
【０１２８】
６９．  送信機はエラーを含むダウンリンク伝送を伝送するように構成され、受信機はエラーを含むダウンリンク伝送に応答して送信されるフィードバックに基づいてＷＴＲＵの数をカウントするように構成されることを特徴とする実施形態６３から６８のいずれか１つに記載のＮｏｄｅ−Ｂ。
【０１２９】
７０．  送信機は、ＷＴＲＵからのＮＡＣＫの数があらかじめ定められたしきい値を超える場合に限り、ダウンリンク伝送を再伝送するように構成されることを特徴とする実施形態６４から６９のいずれか１つに記載のＮｏｄｅ−Ｂ。
【０１３０】
７１．  ダウンリンク共用チャネルを介してダウンリンク共用サービスのダウンリンク伝送を複数のＷＴＲＵに送信するように構成された送信機を備え、ダウンリンク伝送は少なくとも２つのデータストリームを含み、前記送信機はまたＣＱＩしきい値をＷＴＲＵに送信するように構成されることを特徴とする実施形態６１に記載のＮｏｄｅ−Ｂ。
【０１３１】
７２．  データストリームを符号化する符号器であって、高い信号品質を有するＷＴＲＵがすべてのデータストリームを復号するが、低い信号品質を有するＷＴＲＵが全体よりも少ないデータストリームを復号するように、各データストリームは異なるＭＣＳを使用して処理される、符号器を備えることを特徴とする実施形態７１に記載のＮｏｄｅ−Ｂ。
【０１３２】
７３．  ＷＴＲＵからフィードバックを受信する受信機を備え、各ＷＴＲＵは受信されたダウンリンク伝送のＣＱＩを測定し、ＣＱＩしきい値に基づいて、どのデータストリームで各ＷＴＲＵがフィードバックを提供すべきか判定することを特徴とする実施形態７２に記載のＮｏｄｅ−Ｂ。
【０１３３】
７４．  Ｎｏｄｅ−Ｂからダウンリンク共用サービスのダウンリンク伝送およびＣＱＩしきい値を受信する受信機であって、ダウンリンク伝送は少なくとも２つのデータストリームを含み、各データストリームは異なるＭＣＳを使用して処理される、受信機を備えることを特徴とする実施形態４０に記載のＷＴＲＵ。
【０１３４】
７５．  ダウンリンク伝送を復号する復号器であって、高い信号品質を有するＷＴＲＵはすべてのデータストリームを復号することができるが、低い信号品質を有するＷＴＲＵは全体よりも少ないデータストリームを復号することができる、復号器を備えることを特徴とする実施形態７４に記載のＷＴＲＵ。
【０１３５】
７６．  受信したダウンリンク伝送のＣＱＩを生成するＣＱＩ測定ユニットを備えることを特徴とする実施形態７５に記載のＷＴＲＵ。
【０１３６】
７７．  測定されたＣＱＩとＣＱＩしきい値を比較することにより、どのデータストリームでＷＴＲＵがフィードバックをＮｏｄｅ−Ｂに提供すべきか判定し、決定されたデータストリームのフィードバックをＮｏｄｅ−Ｂに送信する送信機を備えることを特徴とする実施形態７６に記載のＷＴＲＵ。
【０１３７】
特徴および要素は特定の組合せで好ましい実施形態において説明されるが、各々の特徴または要素は、好ましい実施形態の他の特徴および要素を使用せずに単独で使用するか、またはその他の特徴および要素とのさまざまな組合せで、あるいはそれらを使用せずに使用することができる。本発明において提供される方法または流れ図は、汎用コンピュータまたはプロセッサによって実行するためにコンピュータ可読記憶媒体内で有形に具現されるコンピュータプログラム、ソフトウェア、またはファームウェアにおいて実施することができる。コンピュータ可読記憶媒体の例は、読み取り専用メモリ（ＲＯＭ）、ランダムアクセスメモリ（ＲＡＭ）、レジスタ、キャッシュメモリ、半導体メモリデバイス、内蔵ハードディスクおよび取り外し可能ディスクなどの磁気媒体、磁気光学媒体、ＣＤ−ＲＯＭディスクおよびデジタル多用途ディスク（ＤＶＤ）などの光媒体を含む。
【０１３８】
適切なプロセッサは、例として、汎用および専用プロセッサ、標準的なプロセッサ、デジタルシグナルプロセッサ（ＤＳＰ）、複数のマイクロプロセッサ、ＤＳＰコアと関連する１つまたは複数のマイクロプロセッサ、コントローラ、マイクロコントローラ、特定用途向け集積回路（ＡＳＩＣ）、フィールドプログラマブルゲートアレイ（ＦＰＧＡ；Ｆｉｅｌｄ  Ｐｒｏｇｒａｍｍａｂｌｅ  Ｇａｔｅ  Ａｒｒａｙ）回路、任意のタイプの集積回路（ＩＣ）、および／または状態機械を含む。
【０１３９】
ソフトウェアと関連するプロセッサは、無線送受信ユニット（ＷＴＲＵ）、ユーザ機器（ＵＥ）、端末、基地局、無線ネットワークコントローラ（ＲＮＣ）、または任意のホストコンピュータにおいて使用する無線周波数送受信機を実施するために使用することができる。ＷＴＲＵは、カメラ、ビデオカメラモジュール、テレビ電話、スピーカーホン、振動装置、スピーカー、マイクロホン、テレビ送受信機、ハンドフリーヘッドセット、キーボード、ブルートゥース（登録商標）モジュール、周波数変調（ＦＭ）無線装置、液晶ディスプレイ（ＬＣＤ）表示装置、有機発光ダイオード（ＯＬＥＤ；ｏｒｇａｎｉｃ  ｌｉｇｈｔ−ｅｍｉｔｔｉｎｇ  ｄｉｏｄｅ）表示装置、デジタル音楽プレイヤ、メディアプレイヤ、テレビゲームプレイヤモジュール、インターネットブラウザ、および／または任意の無線ローカルエリアネットワーク（ＷＬＡＮ）モジュールと共に使用することができる。
【図１】
2012165440.tif 000003
【図２】
2012165440.tif 000004
【図３】
2012165440.tif 000005
【図４】
2012165440.tif 000006
【図５】
2012165440.tif 000007